(57)【特許請求の範囲】
【請求項１】
軸筒の前側に把持部を設けるとともに該把持部よりも後側に指間当接部を設けるようにした筆記具であって、
前記指間当接部は、非同一円周上において遠心方向へ環状に突出する傾斜環状突部と、該傾斜環状突部に沿うようにして該傾斜環状突部の前側に配設された傾斜溝とからなり、
前記傾斜溝は、前記傾斜環状突部に沿う斜め後方へ向かって、漸次深くなるとともに軸方向寸法が漸次拡大する凹曲面状に形成されていることを特徴とする筆記具。
【請求項２】
上記把持部は、表面が縦断面凹曲線状の曲面である指先側当接面を、周方向において略等間隔に三つ配設してなることを特徴とする請求項１記載の筆記具。
【請求項３】
上記把持部は、上記指先側当接面よりも前側の部位と後側の部位との内、その一方又は双方に補助指先側当接面を備え、
この補助指先側当接面は、周方向において略等間に三つ設けられるとともに、
上記指先側当接面に対し周方向へ角度をずらして配置されていることを特徴とする請求項２記載の筆記具。
【請求項４】
上記傾斜環状突部よりも後方側に、上記傾斜環状突部の外径よりも小径の略円筒状の小径部を形成したことを特徴とする請求項１乃至３何れか１項記載の筆記具。
【請求項５】
上記小径部に、クリップ部を配設したことを特徴とする請求項４記載の筆記具。
【請求項６】
上記クリップ部の周方向の位置を、上記三つの指先側当接面の内の一つの周方向位置に略一致させたことを特徴とする請求項５記載の筆記具。
【請求項７】
上記傾斜環状突部が二重成形により設けられていることを特徴とする請求項１乃至６何れか１項記載の筆記具。
【発明の詳細な説明】
【技術分野】
【０００１】
本発明は、例えばボールペンや、シャープペンシル、フェルトペン等、軸筒が把持される筆記具に関するものである。
【背景技術】
【０００２】
従来、この種の発明には、例えば特許文献１の図３に記載されたもののように、軸筒（１）の前方に把持部（４）を設けると共に、その把持部（４）の後方に指間当接部（７）を設け、その指間当接部（７）を円周上の溝部とすると共に、その溝部の１８０度回転方向における最深部（７ａ，７ｂ）の位置を異ならしめた筆記具がある。
この従来技術では、拇指と示指との間を指間当接部（７）に当接させて、安定して筆記具を支えることができるとされている。
【０００３】
しかしながら、上記従来技術のように、軸筒の外周に単純な傾斜溝状の指間当接部（７）を備えたとしても、必ずしも良好なフィット感を得られるとは限らなかった。
すなわち、人の手の形状は指先から指元にかけて次第に厚みを増し、更に手首にかけても厚みを増すような形状を呈しているため、その複雑な手の形状に対し、軸筒を良好にフィットさせるためには、より高度な工夫を凝らす必要があった。
また、特許文献１には記載されていないが、通常の筆記具では軸筒の後端側にクリップ部が設けられている。このクリップ部が手や指に干渉して、使用者に違和感を与えてしまう場合もある。
【特許文献１】特開２００４−２０９９３８号公報
【発明の開示】
【発明が解決しようとする課題】
【０００４】
本発明は上記従来事情に鑑みてなされたものであり、その課題とする処は、使用者に対し良好なフィット感を与えることができ、ひいては、より疲労感の少ない筆記具を提供することにある。
【課題を解決するための手段】
【０００５】
上記課題を解決するために第一の発明は、軸筒の前側に把持部を設けるとともに該把持部よりも後側に指間当接部を設けるようにした筆記具であって、前記指間当接部は、非同一円周上において遠心方向へ環状に突出する傾斜環状突部と、該傾斜環状突部に沿うようにして該傾斜環状突部の前側に配設された傾斜溝とからなり、前記傾斜溝は、前記傾斜環状突部に沿う斜め後方へ向かって、漸次深くなるとともに軸方向寸法が漸次拡大する凹曲面状に形成されていることを特徴とする。
【０００６】
また、第二の発明では、上記把持部は、表面が縦断面凹曲線状の曲面である指先側当接面を、周方向において略等間隔に三つ配設してなることを特徴とする。
【０００７】
また、第三の発明では、上記把持部は、上記指先側当接面よりも前側の部位と後側の部位との内、その一方又は双方に補助指先側当接面を備え、この補助指先側当接面は、周方向において略等間に三つ設けられるとともに、上記指先側当接面に対し周方向へ角度をずらして配置されていることを特徴とする。
【０００８】
また、第四の発明では、上記傾斜環状突部よりも後方側に、上記傾斜環状突部の外径よりも小径の略円筒状の小径部を形成したことを特徴とする。
【０００９】
また、第五の発明では、上記小径部に、クリップ部を配設したことを特徴とする。
【００１０】
また、第六の発明では、上記クリップ部の周方向の位置を、上記三つの指先側当接面の内の一つの周方向位置に略一致させたことを特徴とする。
【００１１】
また、第七の発明では、上記傾斜環状突部が二重成形により設けられていることを特徴とする。
【発明の効果】
【００１２】
本発明は、以上説明したように構成されているので、以下に記載されるような作用効果を奏する。
第一の発明によれば、当該筆記具が通常の筆記姿勢で把持されると、把持部が拇指、示指、中指の３本の指により把持され、指間当接部が、拇指と示指の間の部分により受けられる。なお、前記拇指と示指の間の部分とは、拇指の付け根側部分から示指の付け根側部分にわたる範囲のことであり、この部分は、把持する人の姿勢により、拇指寄り側であったり、示指寄り側であったり、あるいは拇指と示指との略中央近傍であったりする。
この筆記姿勢において、指間当接部は、使用者の拇指と示指の間の部分に対し、傾斜溝を嵌め合わせるとともに、該傾斜溝よりも後方側の傾斜環状突部を当接させる。
特に、後方へ向かって漸次深くなるとともに軸方向寸法が拡大する凹曲面状の傾斜溝が、後方へかけて次第に厚みを増す使用者の拇指と示指の間の部分に対し、前後へわたる比較的広い面積で接触することになる。
そのため、使用者に対し良好なフィット感を与えることができる上、使用者が握力を緩めた際には、当該筆記具が手からずれ落ちてしまうのを傾斜環状突部によって防ぐことができる。
しかも、使用者の手が比較的大きい場合や、使用者の把持箇所が後寄りである場合にも、傾斜溝が後方へ向かって漸次深くなるとともに軸方向寸法が拡大する凹曲面状であるため、この傾斜溝の後寄りの深く広い凹曲面状の部分を、使用者の拇指と示指の間の部分に、良好にフィットさせることができる。
よって、手の形状や握り方等の個人差に拘わらずに、使用者に対し良好なフィット感を与えることができ、ひいては疲労感の少ない筆記具を提供することができる。
【００１３】
更に、第二の発明によれば、筆記姿勢で把持された際、縦断面凹曲線状の曲面である指先側当接面が、拇指と示指と中指とのそれぞれに対し、良好にフィットする。
すなわち、拇指と示指と中指との各々において、指先側当接面に接触する部分は、縦断面凸曲線状を呈する。この縦断面凸曲線状の各指と、縦断面凹曲線状の指先側当接面とが、比較的広い面積で接触し合うため、使用者に対し良好なフィット感を与えることができる。
【００１４】
更に、第三の発明によれば、使用者が、指先側当接面と補助指先側当接面とを選択して把持することができる。
すなわち、筆記具が拇指、示指、中指の３本の指により把持される際、その把持箇所は、使用者により、把持部の前端寄りである場合、把持部の中央付近である場合、把持部の後端寄りである場合等がある。
本発明によれば、使用者が把持部の前端寄りや後端寄りを把持した際にも、その使用者の指に対し補助指先側当接面を当接させることで、その使用者に対し良好な把持感触を与えることができる。
しかも、補助指先側当接面が指先側当接面に対し周方向へずれて配置されているため、補助指先側当接面を把持する使用者は、その把持位置を把握し易く、安定した把持位置で筆記を行うことができる。
【００１５】
更に、第四の発明によれば、使用者の手が極端に大きい場合や、使用者の把持箇所が極端に軸筒後部寄りである場合であっても、その使用者の拇指と示指との間の部分を、小径部により受けることで、その使用者に対し良好なフィット感を与えることができる。
【００１６】
更に、第五の発明によれば、クリップ部が径方向へ突出する量を少なくすることができ、ひいては、クリップ部が使用者の拇指と示指との間の部分に接触して、使用者に違和感を与えるようなことを防ぐことができる。
【００１７】
更に、第六の発明によれば、使用者が拇指、示指、中指をそれぞれ指先側当接面に当接させて把持部を把持した際に、クリップ部を使用者の拇指と示指との間の部分に接触し難いように配置することができ、ひいては、使用者に対するフィット感を、より向上することができる。
【００１８】
更に、第七の発明によれば、指間当接部が使用者の拇指と示指の間の部分に接触した際に、使用者に対し違和感を与えてしまうようなことを防ぐことができる。
すなわち、仮に傾斜環状突部を別部材により形成した場合には、傾斜環状突部と他の部分との間に段差が生じてしまう場合があり、この段差が使用者に違和感を与えてしまう。
しかしながら、本発明によれば、傾斜状環状突部を二重成形により形成しているため、該傾斜状環状突部と他の部分との段差を殆ど生じることがなく、使用者に違和感を与えることがない。
しかも、前記のような段差を生じないため、軸筒外周面における外観上の体裁も良好である。
【発明を実施するための最良の形態】
【００１９】
以下、本発明の実施の形態を図面に基づいて説明する。
本発明に係わる筆記具Ａは、軸筒１０の前側に把持部１０ａを設けるとともに該把持部１０ａよりも後側に指間当接部１０ｂを備え、後端側のノック部ａ１のノック操作により、軸筒１０前端に接続された先口ａ２の先端から筆記先端部ａ３を出没させるように構成してある。
【００２０】
軸筒１０は、前軸と後軸等の複数と筒体を連結してなり、その内部には、図示しないインク収容管や、該インク収容管を後方へ付勢するスプリング、該インク収容管を筆記先端部ａ３の突出状態で係止する機構等が具備されている。
この軸筒１０の前側外周面には、グリップ１５を環状に装着することで、把持部１０ａが構成されている。
また、この軸筒１０の後側外周面には、後述する傾斜環状突部１１及び傾斜溝１２からなる指間当接部１０ｂや、小径部１３、クリップ１４等を一体的に形成している。
【００２１】
図示した一例について、把持部１０ａと指間当接部１０ｂの配置を詳細に説明すれば、軸筒１０における軸方向の略中央よりも若干手前に、リング部材１６が装着され、該リング部材１６よりも前側に把持部１０ａが配置され、同リング部材１６よりも後側に指間当接部１０ｂが配置される。
なお、軸筒１０は、図示例によれば前軸と後軸等の複数の筒体から構成しているが、当該筆記具Ａの略全長にわたる一体筒状の部材としてもよい。
【００２２】
グリップ１５からなる把持部１０ａは、使用者が通常の筆記姿勢で当該筆記具Ａを把持した際に、拇指と示指と中指の三本の指により把持される部位である。
グリップ１５は、略筒状に成形され、その軸方向における中央側に指先側当接面１５ａ，１５ａ，１５ａを配設し、これら指先側当接面１５ａ，１５ａ，１５ａの前後に、補助指先側当接面１５ｂ，１５ｃを配設している。
このグリップ１５は、例えばエラストマー樹脂等の軟質合成樹脂材料や合成ゴム材料等であって、好ましくはゴム硬度が５〜４０度、詳しくは１５度程度の極軟質な材料から形成されることで、使用者に対する把持感触を良好にしている。
【００２３】
前記指先側当接面１５ａは、グリップ１５の軸方向の中央側に配置され、その周方向において略等間隔に３つ設けられている。すなわち、周方向に隣り合う指先側当接面１５ａ，１５ａ間の配置角度は、約１２０度である。
【００２４】
各指先側当接面１５ａは、その表面を縦断面凹曲線状の曲面としている。
より詳細に説明すれば、各指先側当接面１５ａの表面は、図４（ｂ）に示すように、軸方向の一方側から他方側へかけて凹曲線状となるように形成されている。
また、三つの指先側当接面１５ａ，１５ａ，１５ａの横断面形状は、図５（II）に示すように、各辺部分を遠心方向へ突曲させた略三角形状において、その各頂点部分を削った形状を呈する。図５（II）によれば、遠心方向へ突曲した各辺部が指先側当接面１５ａであり、周方向に隣り合う指先側当接面１５ａ，１５ａの間の部分が、後述する補助指先側当接面１５ｂに連続する部分である。
【００２５】
そして、グリップ１５における指先側当接面１５ａ，１５ａ，１５ａよりも前側の補助指先側当接面１５ｂ，１５ｂ，１５ｂは、上記指先側当接面１５ａに対し周方向へ角度を約６０度ずらすようにして、周方向において等間隔に三つ配設されている。
これら三つの補助指先側当接面１５ｂ，１５ｂ，１５ｂの横断面形状は、上記指先側当接面１５ａ，１５ａ，１５ａと略同様に、図５（III）に示すように各辺部分を遠心方向へ突曲させた略三角形状において、その各頂点部分を削った形状を呈する。図５（III）によれば、遠心方向へ突曲した各辺部が補助指先側当接面１５ｂであり、周方向に隣り合う補助指先側当接面１５ｂ，１５ｂの間の部分が、上記指先側当接面１５ａに連続する部分である。
【００２６】
また、同様に、グリップ１５における指先側当接面１５ａ，１５ａ，１５ａよりも後側の補助指先側当接面１５ｃ，１５ｃ，１５ｃも、上記指先側当接面１５ａに対し周方向へ角度を約６０度ずらすようにして、周方向において等間隔に三つ配設されている。
これら三つの補助指先側当接面１５ｃ，１５ｃ，１５ｃの横断面形状は、上記指先側当接面１５ａ，１５ａ，１５ａと略同様に、各辺部分を遠心方向へ突曲させた略三角形状を呈する（図５（I）参照）。
【００２７】
なお、本実施の形態の好ましい一例によれば、上記したように、把持部１０ａにおける指先側当接面１５ａよりも前側の部位と後側の部位との双方に、補助指先側当接面１５ｂ，１５ｃを備えるようにしているが、他例としては、その一方のみに補助指先側当接面１５ｂ（又は１５ｃ）を備えるようにしてもよい。
【００２８】
また、指間当接部１０ｂは、使用者が通常の筆記姿勢で当該筆記具Ａを把持した際に、拇指と示指の間の部分により受けられる部位であり、軸筒１０後部側に形成された傾斜環状突部１１と傾斜溝１２から構成されている。
【００２９】
傾斜環状突部１１は、非同一円周上において遠心方向へ環状に突出するように形成された略楕円状の突部である。
換言すれば、この傾斜環状突部１１は、筆記具Ａの軸心に対し傾斜するとともに（図３（ａ）参照）、遠心方向へ環状に突出するように形成されている。
【００３０】
また、傾斜溝１２は、前記傾斜環状突部１１に沿うようにして傾斜環状突部１１の前側に配置された溝である。
この傾斜溝１２は、傾斜環状突部１１に沿う斜め後方へ向かって、漸次深くなるとともに軸方向寸法ｗが漸次拡大する凹曲面状に形成されている。
図示例の傾斜溝１２について、より詳細に説明すれば、この傾斜溝１２の最前端部の表面は、図３（ａ）に示すように、リング部材１６の外周面と略面一に形成されている。
そして、この傾斜溝１２の前記最前端部以外の表面は、リング部材１６の外周面よりも求心方向側に位置し、斜め後方へ向かって徐々に深くなるとともに軸方向寸法ｗを徐々に拡大している。
【００３１】
すなわち、本願発明者は、人の手の形状が指先から手の甲の付け根にかけて徐々に厚みを増すこと等に着眼し、思考錯誤の実験の末、上記のような傾斜環状突部１１及び傾斜溝１２の形状により、筆記者の手との接触面積を比較的広く確保することができることに気付いた。
【００３２】
また、上記構成の傾斜環状突部１１よりも後方側には、傾斜環状突部１１の最大外径よりも小径の小径部１３が形成されている。そして、該小径部１３の外周面には、クリップ部１４及び補助玉部１７が形成されている（図３（ａ）参照）。
【００３３】
小径部１３は、その外周面を、例えば図３（ａ）に示すように上記傾斜溝１２の最深部１２ａと略面一にした略円筒状に形成される。
クリップ部１４は、上記三つの指先側当接面１５ａ，１５ａ，１５ａの内の一つに対し周方向の位置を略一致させて配置され、更に図示した好ましい一例によれば、傾斜溝１２の最浅部１２ｂ（図３（ａ）参照）の位置に対しても略一致するように配置されている。
前記のようなクリップ部１４の配置は、使用者が当該筆記具Ａを通常の筆記姿勢で把持した際に、クリップ部１４が使用者の拇指示指間に触れ難い周方向位置となるように考慮された配置である（図７参照）。
【００３４】
また、このクリップ部１４の遠心方向の高さ寸法は、クリップ部１４が使用者の拇指示指間に触れ難いように、傾斜環状突部１１の最大外径と略同等に設定されている。
また、このクリップ部１４の先端側の裏面には、玉部１４ａが突設されている。この玉部１４ａは、小径部１３外周面の補助玉部１７と協働して、該クリップ部１４内側に挟まれた際の被挟持物が容易に抜けないようにする。
【００３５】
次に、上記筆記具Ａにおいて軸筒１０の成形上の特徴について詳細に説明する。
図示例の軸筒１０は、把持部１０ａの軸心側部分を構成する前軸（図示せず）と、指間当接部１０ｂを有する後軸３０（図６参照）とを、軸方向に螺合接続してなる。
後軸３０は、有色の合成樹脂を成形する第一成形工程と、透明の合成樹脂材料を成形する第二成形工程とによる二重成形によって形成されている。なお、この後軸３０の他例としては、第一成形工程で透明の合成樹脂材料を成形し、第二成形工程で有色の合成樹脂材料を成形したり、第一及び第二成形工程とも、有色または透明の合成樹脂材料を成形したり等することも可能である。
すなわち、図６に示す後軸３０の一例によれば、先ず前記第一成形工程として、基部３０−１が成形される。
次に、その基部３０−１の外周に、前記第二成形工程として、傾斜環状突部構成部３０−２、クリップ構成部３０−３が成形される。
傾斜環状突部構成部３０−２は、傾斜溝１２の後半部と傾斜環状突部１１と補助玉部１７とを一体にした合成樹脂体である。
クリップ構成部３０−３は、クリップ部１４と尾端部１８とを一体にした合成樹脂体である。
上記のようにして二重成形された後軸３０によれば、基部３０−１と傾斜環状突部構成部３０−２との間、及び基部３０−１とクリップ構成部３０−３との間に、それぞれ段差を殆ど生じないため、軸筒１０の把持感触を良好にすることができる。
しかも、有色合成樹脂材料である基部３０−１の周囲に、透明合成樹脂材料である傾斜環状突部構成部３０−２及びクリップ構成部３０−３が一体に構成されるため、意匠上の体裁にも優れている。
【００３６】
而して、上記構成の筆記具Ａによれば、通常の筆記姿勢で把持した際、把持部１０ａの指先側当接面１５ａ，１５ａ，１５ａの各々に、使用者の拇指、示指、中指がそれぞれ当接する。
この際、各指先側当接面１５ａの表面は、縦断面凹曲線状の曲面であるため、各指に対し良好にフィットする。
【００３７】
また、使用者の拇指と示指との間の部分に対し、指間当接部１０ｂの傾斜溝１２が嵌り合うとともに、傾斜環状突部１１も当接する。この際、傾斜溝１２が後方へ向かって漸次深くなり且つ軸方向へ拡大する凹曲面状であるため、指間当接部１０ｂと使用者の拇指示指間との接触面積を比較的広く確保することができ、使用者に対し良好なフィット感を与えることができる。
【００３８】
また、使用者が把持部１０ａの前端寄り又は後端寄りを把持した場合にも、補助指先側当接面１５ｂ，１５ｂ，１５ｂまたは補助指先側当接面１５ｃ，１５ｃ，１５ｃが、使用者の拇指、示指、中指に当接するため、使用者に対し良好な把持感触を与えることができる。
【００３９】
また、使用者が軸筒１０の極端に後部寄りを把持した場合でも、小径部１３が使用者の拇指示指間に当接するため、使用者に対し良好なフィット感を与えることができる。すなわち、当該筆記具Ａによれば、使用者の筆記姿勢に個人差がある場合であっても対応することができる。また、使用者の手が極端に大きい場合にも、その使用者の拇指と示指との間の部分を、小径部により受けることで、その使用者に対し良好なフィット感を与えることができる。
しかも、クリップ部１４が周方向において使用者の拇指示指間に接触し難い位置に配置され、且つ該クリップ部１４の遠心方向への突出寸法を小さくしているため、筆記姿勢においてクリップ部１４が拇指示指間に接触することが少なく、ひいては、使用者に対し違和感を与えるようなことを防ぐことができる。
【００４０】
次に、上記構成の筆記具Ａについて、負担度や把持感触等を、従来品と比較した実験結果について説明する。
図８は、当該筆記具Ａ、比較例１、比較例２の各々について、被験者１０名に対し２０行の文字を筆記させ、その筆記時における短拇指屈筋、背側骨間筋、深指屈筋の筋活動量を、筋電図測定器により測定し、その測定値を平均化して、図表にあらわしたものである。
比較例１は、傾斜環状突部１１及び傾斜溝１２の無い従来の筆記具である。
比較例２は、当該筆記具Ａにおいて傾斜環状突部構成部３０−２を省いた形状にするとともに、外周面が単純な円筒状のグリップを用いた筆記具である。
また、図８中上段の表に示す数値は、筋電図測定器による筋電位波形について、一定の時間範囲の筋電位信号を二乗し、範囲内の平均を求めた後、平方根をとった量（ＲＭＳ値）を、被験者毎に標準化したものである。この標準化点が大きい程、筋活動量が大きく、筋負担度も大きいという評価になる。
また、図８中下段の表に示すグラフは、当該筆記具Ａ、比較例１、比較例２の各々について、上段表中の合計値を、棒グラフ化したものである。
図８に示す表及びグラフによれば、当該筆記具Ａにおける筋活動量が、比較例１及び２と比較し、顕著に低いことがわかる。このような効果は、傾斜環状突部１１、傾斜溝１２、及びグリップ１５等の特徴的な構成により、当該筆記具Ａと使用者の拇指示指間との接触面積が増えたことに起因するものと考えられる。
【００４１】
また、図９は、当該筆記具Ａ、比較例１、比較例２の各々に対し、感触の良さ、疲れ難さ、書き易さ、安定感、総合評価（総合的な使用感）の５項目について、被験者１０名による５段階評価（官能検査）を行い、各項目の被験者平均得点を図表にあらわしたものである。数値が大きいほど、使用感が良好であるという評価になる。
この図９における比較例１及び２は、図８の実験に用いたものに対応する。
この図９に示す表及びグラフによれば、当該筆記具Ａの使用感が、比較例１及び２と比較し、顕著に良好であることがわかる。このような効果は、傾斜環状突部１１、傾斜溝１２、及びグリップ１５等の特徴的な構成により、当該筆記具Ａと使用者の拇指示指間との接触面積が増え、そのことに起因して、使用者がリラックスした状態で当該筆記具Ａを把持したためと考えられる。
【図面の簡単な説明】
【００４２】
【図１】本発明に係わる筆記具の一例を示す斜視図である。
【図２】同筆記具の正面図である。
【図３】同筆記具における後側部分を拡大して示しており、（ａ）は側面図であり、（ｂ）は正面図である。
【図４】同筆記具における前側部分を拡大して示しており、（ａ）は側面図であり、（ｂ）は正面図である。
【図５】（ａ）は図４（ｂ）における(I)-(I)線端面図であり、（ｂ）は図４（ｂ）における(II)-(II)線端面図であり、（ｃ）は図４（ｂ）における(III)-(III)線端面図であり、それぞれ内部構造を省略して示している。
【図６】同筆記具の後軸において、第一成形工程で成形される部分と、第二成形工程で成形される部分とを分解して示す構造図である。
【図７】同筆記具を筆記姿勢で把持した状態を示す斜視図である。
【図８】同筆記具及び比較例１，２について、筋電図測定の結果を示す図と表である。
【図９】同筆記具及び比較例１，２について、官能検査の結果を示す図と表である。
【図１０】同筆記具及び比較例１，２についての筋電図測定の様子を示す画像である。
【符号の説明】
【００４３】
１０：軸筒
１０ａ：把持部
１０ｂ：指間当接部
１１：傾斜環状突部
１２：傾斜溝
１３：小径部
１４：クリップ部
１５：グリップ
１５ａ：指先側当接面
１５ｂ，１５ｃ：補助指先側当接面
Ａ：筆記具
ｗ：軸方向寸法
【図１】
0004824460.tif 000002
【図２】
0004824460.tif 000003
【図３】
0004824460.tif 000004
【図４】
0004824460.tif 000005
【図５】
0004824460.tif 000006
【図６】
0004824460.tif 000007
【図７】
0004824460.tif 000008
【図８】
0004824460.tif 000009
【図９】
0004824460.tif 000010
【図１０】
0004824460.tif 000011